(57)【要約】【課題】取り扱いが楽であり、内側に収容した薬液を頭髪に効率よく塗布し、また不使用時には薬液を密封し薬液の液漏れを確実に防ぐ櫛付容器を提供する。【解決手段】一端部に容器開口部１６が形成された容器本体１２と、容器開口部１６に取り付けられ櫛状突起２６と注出口２８が形成されたコームヘッド中栓２０を有する。容器開口部１６に螺合されコームヘッド中栓２０を覆って容器開口部１６を閉鎖する外キャップ４４と、コームヘッド中栓２０の注出口２８を着脱自在に閉鎖する内キャップ３２を備える。内キャップ３２は、外キャップ４４の内側で回転可能に係止されている。内キャップ３２には、コームヘッド中栓２０の注出口２８に密着する密閉突起４３を有し、密閉突起４３は、外キャップ４４が容器開口部１６に螺合されたときに、密閉突起４３が適度な押圧力で注出口２８に密着する。【選択図】図１
2007267804.tif 000002
【特許請求の範囲】
【請求項１】
一端部に容器開口部が形成された容器本体と、前記容器開口部に取り付けられ櫛状突起と注出口が形成されたコームヘッド中栓と、前記容器開口部に螺合され前記コームヘッド中栓を覆って前記容器開口部を閉鎖する外キャップと、前記コームヘッド中栓の前記注出口を着脱自在に閉鎖する内キャップが設けられ、前記内キャップは、前記外キャップの内側で回転可能に係止されていることを特徴とする櫛付容器。
【請求項２】
前記内キャップには、前記コームヘッド中栓の前記注出口に密着する密閉突起が設けられ、前記密閉突起は、前記外キャップが前記容器開口部に螺合されたときに、前記密閉突起が適度な押圧力で前記注出口に密着することを特徴とする請求項１記載の櫛付容器。
【請求項３】
前記コームヘッド中栓の前記注出口は、前記櫛状突起の先端部に形成されていることを特徴とする請求項１記載の櫛付容器。
【請求項４】
前記コームヘッド中栓の前記注出口は、前記櫛状突起同士の谷部に形成されていることを特徴とする請求項１記載の櫛付容器。
【請求項５】
前記外キャップの内側には円筒形の空間が形成され、この空間の奥部は前記内キャップが収容される内キャップ収容部であり、前記内キャップ収容部の開口部側には前記内キャップの縁部に係止される係止部が設けられ、前記内キャップ収容部の天面部中心と前記内キャップの天面外側中心の一方には、互いに当接して回転軸となる軸突起が設けられ、他方には前記軸突起を受ける軸受け凹部が形成されていることを特徴とする請求項１記載の櫛付容器。
【発明の詳細な説明】
【技術分野】
【０００１】
この発明は、整髪材や養毛剤、毛染め剤等の薬剤が収容され、また薬剤を頭髪に塗布する作業を行う櫛付容器に関する。
【背景技術】
【０００２】
従来、整髪材や養毛剤、毛染め剤等の薬剤は、櫛付容器に収容されて市販されているものがある。櫛付容器は、薬剤を収容する容器本体の容器開口部に、櫛状突起と薬液の注出口が形成されたコームヘッドが着脱可能に設けられている。
【０００３】
従来の櫛付容器は、使用しないときは容器開口部からコームヘッドを外して、密閉用のキャップを取り付け閉鎖し、使用するときは、容器開口部からキャップを外して、コームヘッドを容器に取り付けて用いていた。そして、容器本体の側面を押圧し、コームヘッドの注出口から薬液を押し出し、コームヘッドの櫛状突起で頭髪をとかしながら、頭髪に均一に薬液を塗布していた。
【０００４】
また、コームヘッドを容器本体に常に取り付け、使用しないときには、コームヘッドにコームヘッド用のキャップを取り付けるものが、特許文献１，２の櫛付注出口に開示されている。これは、コームヘッド用のキャップの内面から複数のシャフトが突出して設けられたものであり、コームヘッドにこのコームヘッド用のキャップを取り付けたとき、注出口にシャフトの先端が当接して閉鎖され、内容物の液漏れを防ぐ。
【特許文献１】特開２００４−２６２８６号公報
【特許文献２】特開２００４−２４７７６号公報
【発明の開示】
【発明が解決しようとする課題】
【０００５】
上記従来の技術の場合、使用するときに容器開口部からキャップを外してコームヘッドを取り付ける必要があり、手間がかかり面倒であった。また、上記特許文献１，２に開示されている櫛付注出口は、コームヘッド用のキャップがコームヘッドの櫛状突起と平行に移動し、シャフトが注出口に差し込まれるだけであり、圧着されず注出口の閉鎖が不十分であった。
【０００６】
この発明は、上記従来の技術の問題点に鑑みてなされたものであり、取り扱いが楽であり、内側に収容した薬液を頭髪に効率よく塗布し、また不使用時には薬液を密封し薬液の液漏れを確実に防ぐ櫛付容器を提供することを目的とする。
【課題を解決するための手段】
【０００７】
本発明は、一端部に容器開口部が形成された容器本体と、前記容器開口部に取り付けられ櫛状突起と注出口が形成されたコームヘッド中栓と、前記容器開口部に螺合され前記コームヘッド中栓を覆って前記容器開口部を閉鎖する外キャップと、前記コームヘッド中栓の前記注出口を着脱自在に閉鎖する内キャップが設けられ、前記内キャップは、前記外キャップの内側で回転可能に係止されている櫛付容器である。
【０００８】
また、前記内キャップには、前記コームヘッド中栓の前記注出口に密着する密閉突起が設けられ、前記密閉突起は、前記外キャップが前記容器開口部に螺合されたときに、前記密閉突起が適度な押圧力で前記注出口に密着する。
【０００９】
前記コームヘッド中栓の前記注出口は、前記櫛状突起の先端部に形成されている。または、前記コームヘッド中栓の前記注出口は、前記櫛状突起同士の谷部に形成されている。
【００１０】
前記外キャップの内側には円筒形の空間が形成され、この空間の奥部は前記内キャップが収容される内キャップ収容部である。前記内キャップ収容部の開口部側には前記内キャップの縁部に係止される係止突起等の係止部が設けられ、前記内キャップ収容部の天面部中心と前記内キャップの天面外側中心の一方には、互いに当接して回転軸となる軸突起が設けられ、他方には前記軸突起を受ける軸受け凹部が形成されている。
【発明の効果】
【００１１】
本発明の櫛付容器は、コームヘッド中栓が予め容器本体に取り付けられ、外キャップの取り外しにより簡単に効率良く、容器本体内に収容された薬液等をコームヘッド中栓の櫛状突起を使用して頭髪や頭皮に塗布することができる。また、不使用時には、外キャップを容器本体に螺合することにより、コームヘッド中栓に内キャップが密着して取り付けられ、薬液を確実に密封し液漏れを防ぐことができる。
【発明を実施するための最良の形態】
【００１２】
以下、この発明の実施形態について図面に基づいて説明する。図１〜図３はこの発明の第一実施形態を示すもので、この実施形態の櫛付容器１０は、柔軟性を有する筒形の側面で作られたチューブ状の容器本体１２から成り、容器本体１２の一端部は、扁平な円錐形の閉鎖部１４が長手方向に交差して設けられている。閉鎖部１４の中央には、小さい径の円筒状の容器開口部１６が外側に突出して設けられている。容器開口部１６の外周面には、雄ネジ１８が形成されている。
【００１３】
容器本体１２の容器開口部１６には、コームヘッド中栓２０が取り付けられている。コームヘッド中栓２０には、容器開口部１６の先端部１６ａに当接して、容器開口部１６を閉鎖する円板状の板部２２が一体に設けられている。板部２２の、容器本体１２の内側に位置する内側面２２ａには、板部２２の周縁部より少し内側に、容器本体１２の容器開口部１６の内側に嵌合され開口部１６を密閉する円筒状の差し込み部２４が設けられている。
【００１４】
板部２２の、容器本体１２の外側に位置する外側面２２ｂには、3枚の櫛状突起２６が設けられている。櫛状突起２６は、厚みが一定の板状であり、基端部２６ａが少し幅広で先端部２６ｂに行くほど細く形成された台形状であり、先端部２６ｂは外側に膨出する曲面で形成されている。櫛状突起２６の先端部２６ｂには、容器本体１２に連通する注出口２８が形成されている。注出口２８は櫛状突起２６の内側を貫通して、板部２２を貫通して形成されている。櫛状突起２６は、3枚が互いに平行に並べられて互いに等間隔に位置している。
【００１５】
コームヘッド中栓２０には、内キャップ３２が着脱自在に取り付けられる。内キャップ３２は、後述する外キャップ４４の内側に回転自在に設けられている。内キャップ３２は、コームヘッド中栓２０の板部２２の、外側面２２ｂに当接する円板状の板部３４が設けられている。板部３４の、容器本体１２の外側に位置する外側面３４ｂには、櫛状突起２６を覆うドーム状のカバー部３８が設けられている。カバー部３８の側面には、カバー部３８から立ち上がるフィン部４０が設けられている。フィン部４０は、カバー部３８の中心から十字方向に４枚が等間隔に設けられている。フィン部４０の形状は、板部３４の外側面３４ｂから垂直に立ち上がる片と、この辺に直角な片と、カバー部３８から形成される矩形状になっている。カバー部３８の頂点で４枚のフィン部４０が交差する中心部分には、半球状にくぼんだ軸受け凹部４２が形成されている。なお、4枚のフィン部４０は、軸受け凹部４２から一番外側に位置する端部までが、互いにほぼ等しい長さに形成されている。カバー部３８の内側面、つまりコームヘッド中栓２０側の面には、櫛状突起２６の注出口２８に対向する位置に注出口２８の内側に差し込まれ密閉する密閉突起４３が形成されている。
【００１６】
容器本体１２には、コームヘッド中栓２０を覆って容器本体１２の容器開口部１６に螺合される外キャップ４４が設けられている。外キャップ４４は、容器本体１２とほぼ同じ直径を有する円筒状の側面部４６と、側面部４６の天面を閉鎖する板状の上面部４８が設けられている。
【００１７】
上面部４８は、中央に向かうにつれて容器本体１２側にくぼんだ形状である。上面部４８の内側面４８ａには、小さい径の円筒形の取付部５０が一体に設けられ、取付部５０は側面部４６に対して平行に容器本体１２側に突出している。取付部５０の内側に形成された円筒状の空間は、その挿通方向長さが、容器本体１２の容器開口部１６にコームヘッド中栓２０を取り付けた長さに、内キャップ３２のカバー部３８の厚みを足したものとほぼ等しい。空間の奥部は、内キャップ３２が収容される内キャップ収容部５２であり、内キャップ収容部５２の内周面は、内キャップ３２のフィン部４０が挿通方向を軸として軸周りに回転可能な直径に形成されている。内キャップ収容部５２の、突き当りの面の中心には、半球状の軸突起５４が形成されている。軸突起５４は内キャップ３２の軸受け凹部４２に対向し、内キャップ３２の軸受け凹部４２に回転可能に差し込まれ、軸構造となっている。
【００１８】
内キャップ収容部５２の内周面の、内キャップ３２板部３４に対向する部分のわずかに開口部に近い位置には、係止突起５５が一周して形成されている。内キャップ３２は、内キャップ３２の板部３４が係止突起５５を、互いに弾性変形しながら乗り越えて内キャップ収容部５２に入れられている。これにより、係止突起５５が板部３４にわずかなゆとりを有して当接し、抜け落ちないようになおかつ回転可能に係止される。取付部５０の内周面の、内キャップ３２よりも開口部側には、容器開口部１６の雄ネジ１８が螺合される雌ネジ５６が設けられている。
【００１９】
次にこの櫛付容器１０の使用方法について説明する。まず、櫛付容器１０から内容物である薬液を取り出すときは、外キャップ４４を回転させて、容器開口部１６の雄ネジ１８と外キャップ４４の雌ネジ５６の螺合を解除し、取り外す。このとき、内キャップ３２は外キャップ４４内側に回転可能に係止されているため、コームヘッド中栓２０に対して回転することなく外キャップ４４と共に外れる。取り外す際の内キャップ３２は、軸突起５４を回転軸とし、内キャップ収容部５２内で外キャップ４４に対して相対的に回動し、さらに係止突起５５により回転を妨げることなく抜け落ちが防止されるため、円滑に外キャップ４４に対して螺合方向に回転する。これにより内キャップ３２は、コームヘッド中栓２０に密着した状態から、外キャップ４４を回転させることにより円滑に取り外すことができる。そして容器本体１２を押し、コームヘッド中栓２０の注出口２８から内側に収容した薬液を適量注出し、櫛状突起２６で頭髪をとかしながら均一に塗布する。
【００２０】
櫛付容器１０の使用が終わった後、外キャップ４４をコームヘッド中栓２０に内キャップ３２を嵌合する位置まで差し込み、内キャップ３２をコームヘッド中栓２０に対して位置決めする。さらに外キャップ４４を回転させて容器本体１２の雄ネジ１８と取付部５０の雌ネジ５６を螺合させて、押圧力を有して取り付けられる。このとき、内キャップ３２は外キャップ４４の螺合する力でコームヘッド中栓２０に押し付けられ、密閉突起４３がコームヘッド中栓２０の注出口２８に密着して差し込まれ、内側に収容した薬液の液漏れを防ぎ確実に密封される。
【００２１】
この実施形態の櫛付容器１０によれば、容器本体１２内側に収容された薬液を、容器本体１２に取り付けられたコームヘッド中栓２０の櫛状突起２８を使用して頭髪に効率よく塗布することができる。また、不使用時には、コームヘッド中栓２０の注出口２８に、内キャップ３２の密閉突起４３が、外キャップ４４によって押さえつけられて密封されているため、確実に閉鎖され、安全である。これにより確実に液漏れを防いで保管することができる。容器本体１２に、コームヘッド中栓２０を付けたまま保管することができるため、次の使用時にコームヘッド中栓２０を取り付ける手間がかからず、簡単で作業効率が良い。注出口２８は櫛状突起２６の先端部２６ｂに形成されているため、薬液を頭皮に効率よく塗布することができる。
【００２２】
つぎに、この発明の第二実施形態について図４〜図５を基にして説明する。ここで、上記実施形態と同様の部材は同様の符号を付して説明を省略する。この実施形態の櫛付容器５８は、適度な柔軟性を有する筒形の側面で作られたボトル形の容器本体６０が設けられ、容器本体６０の一端部は円板形の閉鎖部６２が、長手方向に交差して設けられている。閉鎖部６２の中央には、小さい径の円筒状の容器開口部６４が設けられている。容器開口部６４の外周面には、雄ネジ６６が形成されている。
【００２３】
容器本体６０の容器開口部６４には、コームヘッド中栓６８が取り付けられている。コームヘッド中栓６８には、容器開口部６４の先端部６４ａに当接して、容器開口部６４を閉鎖する円板状の板部７０が一体に設けられている。板部７０の、容器本体６０の内側に位置する内側面７０ａには、板部７０の周縁部より少し内側に、容器本体６０の容器開口部６４の内側に嵌合されて密閉される円筒状の差し込み部７２が設けられている。板部７０の、容器本体６０の外側に位置する外側面７０ｂには、断面形状が長丸である円筒形の台部７４を有し、台部７４の先端部分には４本の櫛状突起７６が一体に立設されている。櫛状突起７６は、台部７４から先端に向かうにつれて先細に形成されている。櫛状突起７６同士の間の谷部７８には、容器本体６０に貫通する注出口８０が形成されている。
【００２４】
コームヘッド中栓６８には、内キャップ８２がとりつけられ、内キャップ８２は後述する外キャップ９４の内側に設けられている。内キャップ８２は、コームヘッド中栓６８の台部７４と櫛状突起７６を覆う円筒形の側面部８４と、側面部８４の上端部を閉鎖する天面部８８が設けられている。側面部８４の下方の端面部８４ａは、コームヘッド中栓６８の板部７０の、外側面７０ｂに当接する。そして側面部８４には、端面部８４ａの近傍に、側方へ僅かに突出するフランジ部８６が形成されている。天面部８８の内側面８８ａには、櫛状突起７６の谷部７８に挿通され注出口８０に嵌合される密閉突起９０が３本形成されている。天面部８８の外側面８８ｂの中心には、半球状にくぼんだ軸受け凹部９２が形成されている。
【００２５】
容器本体６０には、コームヘッド中栓６８を覆って容器本体６０の容器開口部６４に螺合される外キャップ９４が設けられている。外キャップ９４は、容器本体６０の容器開口部６４を覆う直径の円筒状の側面部９６が設けられ、側面部９６の天面を閉鎖する板状の上面部９８が設けられている。
【００２６】
外キャップ９４の内側に形成された円筒状の空間は、挿通方向長さが容器本体６０の容器開口部６２にコームヘッド中栓６８を取り付けた長さに、内キャップ８２の天面部８８の厚みを足したものとほぼ等しい。
【００２７】
空間の奥部は、内キャップ８２が収容される内キャップ収容部９９であり、内キャップ収容部９９の内周面は、内キャップ６８が挿通方向を軸として軸周りに回転可能な直径に形成されている。上面部９８の内側面９８ａには、半球状の軸突起１００が形成されている。軸突起１００は内キャップ８２の軸受け凹部９２に対向し、内キャップ８２の軸受け凹部９２に回転可能に差し込まれ、軸構造となっている。
【００２８】
内キャップ収容部９９の内周面の、内キャップ８２のフランジ部８６に対する部分のわずかに開口部に近い部分には、係止突起１０２が一周して形成されている。内キャップ８２は、フランジ部８６が係止突起１０２を、互いに弾性変形しながら乗り越えて内キャップ収容部９９に入れられている。これにより、係止突起１０２がフランジ部８６にわずかなゆとりを有して当接し、抜け落ちないようになおかつ回転可能に係止する。内キャップ収容部９９の内周面の、内キャップ８２よりも開口部側には、容器開口部６４の雄ネジ６６が螺合される雌ネジ１０４が設けられている。
【００２９】
次にこの櫛付容器５８の使用方法について説明する。まず、櫛付容器５８から内容物である薬液を取り出すときは、外キャップ９４を回転させて、容器本体６０の雄ネジ６６と外キャップ９４の雌ネジ１０４の螺合を解除し、取り外す。このとき、内キャップ８２は外キャップ９４内で回転可能に係止されているため、コームヘッド中栓６８から外キャップ９４と共に外れる。内キャップ８２は、軸突起１００を回転軸とし、フランジ部８６と係止突起１０２が回転を妨げることなく抜け落ちを防止するため、円滑に外キャップ９４に対して螺合方向へ回転する。これによ、内キャップ８２は複雑な形状のコームヘッド中栓６８に密着した状態から、外キャップ９４を回転させることにより円滑に取り外すことができる。そして容器本体６０を押してコームヘッド中栓６８の注出口８０から適量を注出し、櫛状突起７６で頭髪をとかしながら均一に塗布する。
【００３０】
櫛付容器５８の使用が終わった後、外キャップ９４をコームヘッド中栓６８に内キャップ８２を嵌合する位置まで差し込み、内キャップ８２をコームヘッド中栓６８に対して位置決めする。さらに外キャップ９４を回転させて容器本体６０の雄ネジ１０４と外キャップ９４の雌ネジ１０４を螺合させて、押圧力を有して取り付けられる。このとき、内キャップ８２は外キャップ９４の螺合する力でコームヘッド中栓６８に押し付けられ、密閉突起９０がコームヘッド中栓２０の注出口８０に密着して差し込まれ、内側に収容した薬液の液漏れを防ぎ確実に密封される。
【００３１】
この実施形態の櫛付容器５８によれば、上記実施の形態と同様の効果を有し、容器本体６０内側に収容された薬液を、頭髪に効率よく塗布することができる。また、不使用時には薬液を確実に密封し、確実に液漏れを防いで保管することができる。注出口８０が櫛状突起７６の谷部７８に形成されているため、薬液を頭髪に効率よく塗布することができる。
【００３２】
なお、この発明の櫛付容器は、上記各実施形態に限定されるものではなく、各部材の形状や数など、適宜変更可能である。
【図面の簡単な説明】
【００３３】
【図１】この発明の第一実施形態の櫛付容器の斜視図である。
【図２】この実施形態の櫛付容器の正面図である。
【図３】この実施形態の櫛付容器の部分破断縦断面図である。
【図４】この発明の第二実施形態の櫛付容器の斜視図である。
【図５】この実施形態の櫛付容器の正面図である。
【図６】この実施形態の櫛付容器の部分破断縦断面図である。
【符号の説明】
【００３４】
１０  櫛付容器
１２  容器本体
１６  容器開口部
１８  雄ネジ
２０  コームヘッド中栓
２６  櫛状突起
２８  注出口
３２  内キャップ
４２  軸受け凹部
４３  密閉突起
４４  外キャップ
５２  内キャップ収容部
５４  軸突起
５５  係止突起
５６  雌ネジ
【図１】
2007267804.tif 000003
【図２】
2007267804.tif 000004
【図３】
2007267804.tif 000005
【図４】
2007267804.tif 000006
【図５】
2007267804.tif 000007
【図６】
2007267804.tif 000008